(57)【特許請求の範囲】
【請求項１】
互いに間隔をおいて配置された２つのローラ（１，２）の間で、該一方のローラ（１）から該他方のローラ（２）への搬送方向（８）で、長手方向に張力がかけられた状態で、往復移動可能なポスタウェブ（７）を有するポスタ懸吊装置であって、縁肉厚部として構成された縁補強部（２９）を有するポスタウェブ（７）の、前記搬送方向（８）に延在する側方の長手方向縁部（９，１０）に、前記ローラ（１，２）の間の範囲にて、前記一方のローラ（１）から前記他方のローラ（２）にまで達する保持手段（１１，１２）が、ポスタウェブ（７）の側方案内として対応配置されている形式のものにおいて、前記保持手段（１１，１２）がポスタウェブ（７）の各ポスタウェブ面（１３，１４）にて互いに間隔をおいて配置された個別の案内ヘッド（１５，１６）から成り、ポスタウェブ（７）の一方のポスタウェブ面（１３）に向けられた案内ヘッド（１５）に、他方のポスタウェブ面（１４）における案内ヘッド（１６）が、案内ヘッド対（１９）を形成して向き合っており、前記案内ヘッド（１５，１６）がポスタウェブ（７）の長手方向縁部（９，１０）の近くでポスタウェブ（７）を間にクランプし、往復巻解き及び巻取りに際して、両方のポスタウェブ面（１３，１４）に沿って転動することを特徴とする、ポスタ懸吊装置。
【請求項２】
個々の前記案内ヘッドがローラもしくは車輪（２５）として構成され、該ローラもしくは車輪（２５）の回転軸（２６）がポスタウェブ面（１３，１４）に対し平行に位置しかつ前記搬送方向（８）に対して横方向に位置している、請求項１記載のポスタ懸吊装置。
【請求項３】
個々の案内ヘッドが任意の軸線を中心として回転可能に支承された球形ローラ（３１）として構成されている、請求項１記載のポスタ懸吊装置。
【発明の詳細な説明】
【０００１】
【発明の属する技術分野】
本発明は、互いに間隔をおいて配置された２つのローラの間に、該ローラからローラへの搬送方向で長手方向に張力をかけた状態で、往復移動可能なポスタウェブを有するポスタ懸吊装置であって、有利には縁補強部を有するポスタウェブの、搬送方向に延在する側方の長手方向縁部に、ローラの間の範囲にて、ほぼローラからローラに達する保持手段が、ポスタウェブの側方案内として対応配置されている形式のものに関する。
【０００２】
【従来の技術】
一般的にはポスタウェブは垂直な方向で往復移動させられる。しかしながら本発明は垂直な搬送方向に限定されるものではない。一方では、ローラの間に張設されて示された画又はポスタは垂直に対し傾けられていることができ、他方では画の移動は傾斜方向から垂直に対し横の方向まで、つまり水平方向にも行なうことができる。すなわち以後、垂直な搬送方向もしくは垂直に張設された画を有する構成だけについて説明しかつ請求してあっても、垂直以外のものも想定していることは言うまでもない。
【０００３】
ポスタ懸吊装置はポスタもしくはプラカード全体を展示するのに適するようにしたい。２つ又は３つ以上の個々のポスタ画を、例えば接着、融着、クリップ止め又はスライドファスナと接合してポスタウェブが形成できるようにすることも有利である。このポスタウェブは個々のポスタ画の認識を可能にする区分で、１つのローラから他のローラにかつその反対に巻かれるようにしたい。これはいわゆるポスタ交換機である。
【０００４】
前記の如きポスタ懸吊装置を屋外に展示しようとすると、通常は、装置全体がショーケースで取囲まれる。このショーケースは観られる側に、例えばガラス又は透明なプラスチックから成る窓を有している。このような広告ショーケースはＤＥ２９５１０６７０Ｕ１号に記載されている。提供されるそのつどの展示面が所定の大きさ、例えば３×４ｍを越えると、透明なフロントガラスを製造し、展示場所へ搬送するという問題が発生する。この理由からフロントガラスを複数の部分から構成することがすでに提案されている。それでも費用は甚大である。
【０００５】
屋外に展示した場合でも、記述した広告ショーケースのフロントガラスが不要であるように天候の影響を受けないポスタもしくはプラカード材料がある。この場合には一般的に湿気の影響を受けない材料、例えばプラスチック、繊維、コーティング紙又は金属シートから成るウェブである。良好な実地効果はビニールウェブで達成される。それにも拘わらず実地においてはガラスが必要であった。何故ならば両方のローラの間で緊張されたポスタウェブは太陽と雨だけではなく風又は嵐にも晒されるからである。すでにホールにおける空気流ですら、広告ショーケースのフロントガラスがないと、はためかせる。
【０００６】
本願出願前に公開されていない１９９９年９月２９日付けのフランス国特許出願には、冒頭に述べた形式のポスタ懸吊装置が記載されている。この装置は上方及び下方のローラを有している。ローラの間では複数のポスタを有するポスタウェブが長手方向の張力がかけられた状態で巻上げられたり、巻解かれたりする。このポスタ懸吊装置にはポスタウェブに横張力を作用させるための手段が所属している。これによってポスタウェブが風衝撃並びに他の天候影響の負荷に耐え得ること並びに皺の形成を伴わずに一様に巻き取られることを目的としている。
【０００７】
横張力をかける手段としてはフランス国特許出願によれば、ポスタウェブの側縁部に縁部補強部、いわゆるウエルト（Welt）を備えかつ補強された縁に、ローラからローラへ延びるグループを有するフレーム部分を対応配置することが提案されている。グループはその全長に亘って挟子状に側方から、補強された縁もしくはウエルトの上へ係合する。グループは、ポスタウェブが横方向の引張り負荷に晒されてもウエルトがグループ内に保持されたままになるように構成されている。ウエルトは面状のウェブの弾性的な縁補強部、例えば皮又はプラスチックから成るコード又は金属製の螺旋ばねである。
【０００８】
フランス国特許出願によれば、ポスタウェブは各グループ内を延びる補強されたポスタ長手縁部にて、ピンと張った状態で横張力のもとで保持され、ポスタウェブが風の強い作用を受けた場合にも、はためくことがないようにしようとしている。ポスタ交換を目的としてポスタウェブを巻き動かす場合には、補強された縁が中空のグループ内に沿って滑動させられるようにしたい。これは、ポスタウェブを送る際に著しい摩擦力が発生することを意味する。特に始動に際して克服する必要のある付着摩擦は、駆動装置の著しい強化を必要とし、これによりポスタウェブが裂断されやすく、したがって破損しやすくなる。
【０００９】
【発明が解決しようとする課題】
本発明の課題は、長手方向に張設されたポスタウェブが、保護用のフロントガラスなしでも長手方向及び横方向に安定し−つまり面安定を有し、画から画へ２つのローラの間で往復運動可能であって、移動させる際又は始動（移動開始）に際して、問題となるような摩擦力を克服する必要がないようにすることである。
【００１０】
【課題を解決するための手段】
本発明の解決策は請求項１に記載されている。本発明の解決策の特徴は冒頭に述べた形式のポスタ懸吊装置において、保持手段がポスタウェブの各面に互いに間隔をおいて配置された個別の案内ヘッドから成っており、それぞれ一方のポスタウェブ面に向いた案内ヘッドに、反対側のポスタウェブ面における案内ヘッドが、案内ヘッド対を形成して正確に向き合っていることである。個々の案内ヘッド対の案内ヘッドの相互間隔と、ポスタウェブ幅に関して向き合った２つの案内ヘッド対の相互間隔は、ポスタウェブが実地において静的な横張力（外部の動的な力、例えば風による力の作用しない状態で長手方向縁部の間に生じる張力）なしで幅に亘って一様に固定され、同時に長手方向でほぼ抵抗なく移動可能であるように選択される。換言すれば、本発明はあたかも人がポスタウェブを両手で拡げて保持したように、ポスタウェブがそれぞれ２本の指の間をルーズに通過（ポスタウェブに長手方向に力が作用した場合）できるように長手方向縁を安定化することを目的としている。本発明の若干の改善と本発明の別の実施例は従属請求項に記載されている。
【００１１】
本発明によっては、ポスタウェブ縁が自由で、なんらかの形式で安定化されていなくても従来のポスタ交換機の場合のようにポスタウェブ長手方向でローラからローラへ巻かれることが達成された。それにも拘わらず、ポスタウェブの面は、ウェブの有害なはためきが発生する惧れなくウェブ縁にて安定化される。これは簡単な形式でポスタウェブ縁に保持手段を対応配置し、この保持手段が縁領域を−ウェブ長手方向の複数の個所−同時にゆるく安定化しかつ同時にウェブ長手方向でルーズに通過させることで達成された。本発明によればポスタウェブを往復巻上げするために設けられた両方のローラから延びるウェブの長手方向縁は画が停止している場合にも１つのポスタから次のポスタへ移動する場合にも、保持手段からアクチブに発する（つまりスタティッシュな）横張力なしで案内される。この保持手段が存在するだけでポスタウェブは、外の動的な力、例えば風が作用した場合に−人が階段の手摺りにて確保するように−保持手段にて保持されるようになる。
【００１２】
本発明によれば案内ヘッドによって指先きがある程度、まねられている。このような案内ヘッドは別の発明によれば、少なくとも各ポスタ面に向いた側にて丸みが付けられ、有利には球形に構成されていることができる。案内ヘッドは、指先きと似たように、ポスタ面に対しほぼ垂直なピンの自由端に設けられていることができる。このようなピンは本発明の別の発明によれば有利にはポスタ面に対しほぼ垂直な長手方向軸線を中心として回転可能に支承されていることができる。別の有利な構成では個々の案内ヘッドはローラとして構成されていることができる。このローラの回転軸線はポスタ面に対しほぼ平行に、有利には同時に搬送方向に対し横方向に位置することができる。本発明の枠内では、個々の案内ヘッドが−任意の軸線を中心として回転可能に支承された−球ローラとして構成されていることができる。この場合、ポスタウェブ面上を転動する、ボールベアリングされた球が設けられることもできる。
【００１３】
案内ヘッド対の間でのポスタウェブ縁のそのつどの安定化は、先きに述べた実施例では、ポスタウェブが縁補強を有していると効果的である。ポスタウェブの縁補強、特に冒頭に述べたウエルトとしての縁補強は、本発明の枠内ではきわめて異なる形式で構成されていることができる。場合によってはウェブは補強された縁において、補強された縁に隣接したウェブ領域におけるよりも明らかに厚いことができる。縁補強領域におけるポスタウェブの厚さはポスタウェブの隣接する領域に対して、縁補強部が保持手段の領域で対を成して向き合っている案内ヘッドの間を滑って通過できないような大きさに設定されている。明らかであるように縁補強部はほぼ変わらない軽快走行特性で、きわめて異なる厚さと横断面形状とで設けられていることができる。
【００１４】
先きに述べた案内ヘッドもしくは案内ヘッド対は、本発明の枠内で、ポスタウェブの面から間隔をおいて、ウェブを巻上げかつ巻解くためにローラの間で、ウェブの長手方向縁に亘って延びる条片に取付けられている。この条片には案内ヘッド、ローラもしくは球が、ポスタウェブの両方の面に関連して互いに対を成して向き合うように固定されている。
【００１５】
同一案内ヘッド対の案内ヘッドの相互間隔は一般的には各縁補強部の厚さよりも小さいものでなければならない。特に同時に、各案内ヘッド対の案内ヘッドの間隔は、縁補強部に隣接したポスタウェブの厚さよりも大きくしたい。有利には案内ヘッドは球ローラとして構成される。このような球ローラは重い物品が載せられて移動させられる球ローラ軌道において付着及び滑り摩擦を回避するために公知である。このような軌道のすべての球は通常はその球面の半分以上を取囲む支承器内に軽く回転可能に、例えば球支承されて受容されている。
【００１６】
保持手段は本発明によれば単個ローラの間をウェブが実地において摩擦なく通過できる案内ヘッド対を有していることができる。隣合った案内ヘッド対の間隔は、上方の巻取りローラから下方の巻取りローラに向かう方向で測って、ポスタウェブが実地において皺が形成される惧れなく、風が強い場合にも、ポスタウェブの巻き送りに際してポスタウェブが側方で案内されるかもしくはポスタが停止している場合にポスタウェブが保持されるように、つまり面安定させられるような大きさもしくは小ささ、例えば５〜２０ｃｍに選ばれる。１つの実施例では一方のウェブ側の上で隣接する案内ヘッド、例えば球ローラの相互の間隔は約１０〜１５ｃｍであった。案内ヘッド対の相互間隔はポスタウェブの個々のポスタの大きさとウェブ材料の剛性とにも関連する。
【００１７】
同一の案内ヘッド対の個々の案内ヘッドの相互間隔はポスタウェブの縁補強部が十分に大きいと、ポスタ交換に際してポスタウェブが案内ヘッドに沿って軽く滑って動かされるように設定される。特にこの場合に平滑なポスタウェブ材料（例えばVinyl）が用いられ、案内ヘッドとしてローラ、有利には球ローラが設けられていると、実地においては付着摩擦が発生せず、許容されるわずかな滑り摩擦しか発生しない。
【００１８】
本発明の解決策の１つの構成によれば、保持手段が長手方向縁を、有利には縁補強部に隣接して、摩擦接続で間にクランプし、往復巻取りに際して両方のポスタウェブ面にて縁の領域を駆動転動する。この場合、案内ヘッドとしては相互に又は滑りテーブルに圧着されたローラ又は相互に又は滑りテーブルに圧着された、駆動された、特に駆動されたローラに張設されたベルトであることができる。この場合にはウェブ長手方向のウェブの軽い移動（ポスタ交換）は案内ヘッドの最少の摩擦で達成されるのではなく、保持部材の駆動により行なわれる。
【００１９】
先きに述べた構成と部分的に組合わすことのできる別の構成では、案内ヘッドとして単独に又は記述した保持手段に加えて付加的に各長手方向縁に、少なくとも１つの幅出し手段が配属されている。この幅出し手段は少なくとも１つの、例えば軸ピンとして支承された、駆動された螺旋幅出し器から成っている。螺旋幅出し器の表面はそれぞれのウェブ長手方向縁に向かって螺旋状に拡開する隆起部を有している。このような幅出し器は、それぞれ隆起部に接するエレメントがポスタウェブを搬送方向に対し横方向に幅出しするような方向と速度（有利にはポスタウェブの搬送方向とは異なる速度）で回転させられる。例えばこの構成を用いた場合には記述した縁補強部は不必要である。
【００２０】
この実施例では繊維工業で公知であるように（ＤＥ２５５８１６２Ｃ２参照）、それぞれ対を成して協働する幅出し器もしくはそれぞれの軸線を中心として回転可能な展転フィンガと該展転フィンガの間に配置された案内ローラとから成るセットが設けられていることができる。保持手段によるポスタウェブの損傷を回避しようとする場合には、場合によっては螺旋状に突出する軸ピンもしくは展転フィンガの幅出し隆起部をブラシとして構成することが有利である。
【００２１】
【発明の実施の形態】
図１のポスタ懸吊装置は、相上下して配置された２つのローラ１，２、つまり上方のローラ１と下方のローラ２とから成っている。ローラ１，２はそれぞれ駆動もしくは制動手段３を有し、それぞれ軸線５を中心としてほぼ同期回転可能に支承されている。ローラ１と２の上に巻上げられたポスタウェブ７は搬送方向８で長手方向に緊張させられて巻取り巻戻し可能である。使用時には巻取り巻戻しは交番に、比較的に速い運動が一つの方向に与えられるのに対し、特定の時間帯の間停止状態が得られるように行なわれる。停止状態の間は、ポスタを備えた所定のポスタウェブ区分は良く認知できるかもしくは良く読取ることができるようにしたい。
【００２２】
搬送方向８の長手方向張力を調節することにより、数平方メートルの大きさの大きいポスタの場合にも、懸吊装置がフロントガラス（透明）を有する閉じられたショーケース内に配置されていると、ポスタウェブのはためきのない保持が保護される。ポスタウェブ７の長手方向縁９と１０が保持手段１１と１２を用い、風が作用した場合にウェブがはためくことができないように案内されていることにより、フロントガラスは省略することができる。
【００２３】
本発明の枠内では、保持手段１１，１２はきわめて多様な形式で構成されることができる。図２と図３の有利な実施例においては保持手段１１，１２は、ポスタウェブ７の両面１３，１４にて互いに間隔をおいて配置された個別の案内ヘッド１５，１６から成っている。案内ヘッド１５はポスタウェブ７のウェブ面１３に向けられかつ案内ヘッド１６はウェブ面１４に向けられている。両方の案内ヘッド１５，１６の各々は各ウェブ面１３，１４に向いた面に有利には球状の丸み１７，１８を有している。通常は案内ヘッド１５，１６は対を成す。つまり一方のポスタ面１３に向けられた案内ヘッド１５には、反対側もしくは他方のポスタウェブ面１４に向いた案内ヘッド１６が案内ヘッド対を形成するために向き合っている。
【００２４】
図２の実施例においては、図２の左側の半分においては、個々の案内ヘッド１５，１６は、ポスタウェブ面１３，１４に対しほぼ垂直なピン２０，２１の自由端に位置している。ピンはピン２０の例が示すように、保持手段を受容するレール２２に係留されている。しかしながら図２のピン２１の例が示すようにその長手方向軸線２３を中心として、レール２２に設けられた球軸受２４に受容されることも可能である。
【００２５】
記述したピン２０，２１の代りに、図２の右側の半分が示すように、歯車２５の対が設けられていることもできる。図示された歯車２５はいずれも軸線２６を中心として回転可能に支承されている。軸線２６はポスタウェブ７のウェブ面に対し平行にかつ搬送方向８に対して垂直に位置している。軸線２６の軸はピン２０，２１と似たようにレール２７にもしくはポスタ交換機の何らかの近隣したケーシング部分に固定されることができる。
【００２６】
図３には図２のIII−III線に沿った断面、つまりピン２０と歯車２５とを同時に断面した断面図が示されている。ポスタウェブ７を搬送方向８に搬送する場合にはポスタウェブ７がピン２０の丸み１７に沿って滑動するか又は歯車２５がポスタウェブ７のウェブ面１４を転動する。一方では同一案内ヘッド対の案内ヘッド１５，１６もしくは丸み１７，１８の間の相互間隔、他方では丸みに相当する歯車対２５の周面２８の間の相互間隔は、図２、図３の実施例では、有利にはポスタウェブ７の縁補強部２９の厚さよりも小さく選ばれている。縁補強部２９としては例えば冒頭で規定したウエルトであることができる。同時に丸み１７，１８等の相互間隔は、図２、図３の実施例ではいずれにしても、ポスタウェブ７が実地において、案内ヘッド１５，１６がすべて動かないように固定されたピン２０として構成されている場合にも摩擦なしで案内ヘッド１５と１６との間を通過させることができる大きさにされている。
【００２７】
図４の有利な別の実施例においては、保持手段１１，１２の案内ヘッドは、側方から両側で、両方のウェブ面１３，１４の上へ、補強部２９を越えたところで係合する、球ローラレール３０に固定された球ローラ３１から成っている。レール３０自体は搬送方向８に連続した中空室３２を有している。この中空室３２は補強部２９を保持するかもしくは案内することなく、各補強部２９を取囲んでいる。レール３０の、ウェブに向いた内面では球ローラ３１の間にポスタウェブ７を挟む球ローラ対３３は補強部２９を矢印で示された横方向に通過させず、搬送方向８ではポスタウェブのほぼ摩擦のない運動を許す。
【００２８】
球ローラ３１は球軸受３４に受容されていることができる。球軸受３４もしくは球ローラ３１及び／又は保持手段１１及び／又は１２全体として風衝撃を吸収するためもしくは減衰させるために緩衝器３５に弾性的に、支承されていることができる。
【００２９】
図５においては、ポスタウェブ７は協働するローラ対３６を用いて長手方向縁９，１０に沿って案内されている。各ローラ対３６のローラ３７は矢印３８の方向で互いに、ひいては同時にクランプしたポスタウェブ７に対して圧着させることができる。ローラ３７は場合によっては同期的に、例えば駆動もされて、ポスタウェブ７と一緒に転動する。図５においてウェブ縁９，１０が各ローラ対３６を滑り抜けることを阻止するためには、この場合にも、ウェブ縁は補強部２９を備えている。図６に示した択一的な構成ではローラ対は長手方向縁９を固持するためにベルト対３９として構成されている。
【００３０】
保持手段１１の別の実施例は図７に示されている。この場合には、場合によっては付加的に、ポスタウェブ７の縁領域に近隣して長手方向縁９，１０に作用するローラは、螺旋幅出し器４０として構成されている。この螺旋幅出し器はローラピンとして有利にはポスタウェブ７の非観察側である裏面側４１に配置される。幅出し器４０はその表面にて螺旋状もしくは螺旋状に拡開する隆起部４２を有していることができる。螺旋幅出し器４０はその軸線４３を中心として螺旋幅出し器がポスタウェブ７の縁範囲をウェブ横方向で固持し、ポスタウェブ７が（風を受けて）はためくことが阻止されるような方向と速度（有利にはポスタウェブ７の搬送速度とは異なる速度）で駆動される。
【００３１】
ウェブ縁領域だけに配属された短い螺旋幅出し器４０の代りに（同様に場合によっては付加的に）横方向で一方の長手方向縁９から他方の長手方向縁１０まで一貫して達する幅出しローラ（図８）を本発明のローラ案内ヘッドとして設けることもできる。このような幅出しローラはポスタウェブ７のウェブ面に対する鎮静効果を有している。この幅出しローラは特にポスタを背面側から照明しようとしない場合及び照明しないところに用いることができる。
【００３２】
図７と図８に示された螺旋幅出し器４０もしくは幅出しローラ４４はポスタウェブ７に、たいてい片側だけから、つまり背面側４１からだけ接触するようにしたい。したがってその作用は制限される。ポスタウェブ面の一層良好な安定化は図９に示されているように、ポスタウェブ７の面がウェブ縁にてローラ組の間に保持され、該ローラ組が、間隔をおいて配置された２つの展転フィンガ４５とその間に位置せしめられた案内ローラ４６とから成ることにより達成される。案内ローラ４６にてポスタウェブは波４７を形成する。表面に螺旋状に拡開する隆起部４２（螺旋幅出し器４０同様）を備えていることのできる展転フィンガ４５は使用に際してその長手方向軸線４８を中心として（ウェブ速度とは異なる速度で）回転させられると有利である。案内ローラ４６は両展転フィンガ４５の領域で、両方の展転フィンガ４５によって規定された接線平面から、展転フィンガ４５の間の領域で波４７を成してそらされるように両展転フィンガ４５の間に押込まれる。このような形式で展転フィンガ４５にてポスタウェブ７は所定の巻掛け角度で巻掛けられるので、ポスタウェブの幅出しを目的とした展転フィンガ４５の作用は波４７の波幅によって増強される。
【図面の簡単な説明】
【図１】ポスタ懸吊装置の正面図。
【図２】搬送方向とポスタ平面とに垂直に断面してポスタウェブ縁に対応配置された案内ヘッドガイドと共に示した図。
【図３】図２のIII−III線に沿った断面図。
【図４】搬送方向とポスタ平面とに垂直に断面してポスタウェブ縁に配属された球ローラガイドと共に示した図。
【図５】搬送方向とポスタウェブ平面とに対して垂直に断面して、ポスタウェブ縁に対応配置された円筒ローラ対と共に示した図。
【図６】搬送方向とポスタウェブ平面とに対して垂直に断面して、協働するクランプベルト対を示した図。
【図７】ポスタウェブ面と搬送方向とに垂直に断面してポスタウェブ縁に対応配置された幅出し器と共に示した図。
【図８】幅出しローラを示した図。
【図９】間に位置する案内ローラを有する２つの展転フィンガを有する装置を示した図。
【符号の説明】
１，２  ローラ、  ３  駆動装置、  ５  軸線、  ７  ポスタウェブ、  ９，１０  長手方向縁、  １１，１２  保持手段、  １３，１４  ウェブ面、  １５案内ヘッド、  １６  案内ヘッド、  １７  丸み、  １８  丸み、  １９  案内ヘッド対、  ２０  ピン、  ２１  ピン、  ２２  レール、  ２３  長手方向軸、  ２４  球軸受、  ２５  歯車対、  ２６  軸線、  ２７  レール、  ２８周面、  ２９  縁補強部、  ３０  球ローラレール、  ３１  球ローラ、  ３２  中空室、  ３３  球ローラ対、  ３４  球軸受、  ３５  緩衝器、  ３６  ローラ対、  ３７  ローラ、  ３８  圧着方向、  ３９  ベルト対、  ４０  螺旋幅出し器、  ４１  裏面、  ４２  隆起部、  ４３  軸、  ４４  幅出しローラ、  ４５  展転フィンガ、  ４６  案内ローラ、  ４７  軸、  ４８  軸線
【図１】
0003939501.tif 000002
【図２】
0003939501.tif 000003
【図３】
0003939501.tif 000004
【図４】
0003939501.tif 000005
【図５】
0003939501.tif 000006
【図６】
0003939501.tif 000007
【図７】
0003939501.tif 000008
【図８】
0003939501.tif 000009
【図９】
0003939501.tif 000010